【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
第１の無彩色インク及び前記第１の無彩色インクとは異なる第２の無彩色インクを付与するための記録手段を記録媒体に対して移動させながら、前記記録手段よりインクを付与することにより前記記録媒体に画像を記録するための画像処理装置であって、
前記記録手段の移動により記録されるバンド同士のつなぎ部の近傍の領域に対する前記第１の無彩色インクの付与量及び前記第２の無彩色インクの付与量に関する情報を取得する取得手段と、
前記取得手段によって取得された情報に基づいて、前記つなぎ部の近傍の領域に対する前記第１の無彩色インクの付与量及び前記第２の無彩色インクの付与量のうち少なくとも一方を低減する量を決定する決定手段と、
を備えることを特徴とする画像処理装置。
【請求項２】
前記第１の無彩色インクはブラックのインクであり、前記第２の無彩色インクは当該ブラックのインクよりも濃度の低い淡ブラックのインクであることを特徴とする請求項１に記載の画像処理装置。
【請求項３】
前記決定手段は、前記第１の無彩色インクの付与量及び前記第２の無彩色インクの付与量に対応する明度を判定し、当該明度に基づいて前記第１の無彩色インクおよび第２の無彩色インクを低減する量を決定することを特徴とする請求項１または２に記載の画像処理装置。
【請求項４】
前記第２の無彩色インクの付与量が所定量であり且つ前記情報が第１の明度を示す場合に前記決定手段が決定する前記第２の無彩色インクの量は、前記第２の無彩色インクの付与量が前記所定量であり且つ前記情報が前記第１の明度とは異なる第２の明度を示す場合に前記決定手段が決定する前記第２の無彩色インクの量と、異なることを特徴とする請求項３に記載の画像処理装置。
【請求項５】
前記第１の無彩色インクの付与量が第１の量であり且つ前記第２の無彩色インクの付与量が第２の量である場合に前記決定手段が決定する前記第２の無彩色インクの量は、前記第１の無彩色インクの付与量が前記第１の量とは異なる第３の量であり且つ前記第２の無彩色インクの付与量が前記第２の量である場合に前記決定手段が決定する前記第２の無彩色インクの量と、異なることを特徴とする請求項１乃至３のいずれか１項に記載の画像処理装置。
【請求項６】
第１の無彩色インク及び前記第１の無彩色インクとは異なる第２の無彩色インクを付与するための記録手段を記録媒体に対して移動させながら、前記記録手段よりインクを付与することにより前記記録媒体に画像を記録するための画像処理方法であって、
前記記録手段の移動により記録されるバンド同士のつなぎ部の近傍の領域に対する前記第１の無彩色インクの付与量及び前記第２の無彩色インクの付与量に関する情報を取得する取得工程と、
前記取得工程において取得された情報に基づいて、前記つなぎ部の近傍の領域に対する前記第１の無彩色インクの付与量及び前記第２の無彩色インクの付与量のうち少なくとも一方を低減する量を決定する決定工程と、
を備えることを特徴とする画像処理方法。
【請求項７】
前記第１の無彩色インクはブラックのインクであり、前記第２の無彩色インクは当該ブラックのインクよりも濃度の低い淡ブラックのインクであることを特徴とする請求項６に記載の画像処理方法。
【請求項８】
前記決定工程において、前記第１の無彩色インクの付与量及び前記第２の無彩色インクの付与量に対応する明度を判定し、当該明度に基づいて前記第１の無彩色インクおよび第２の無彩色インクを低減する量を決定することを特徴とする請求項６または７に記載の画像処理方法。
【請求項９】
前記第２の無彩色インクの付与量が所定量であり且つ前記情報が第１の明度を示す場合に前記決定工程において決定される前記第２の無彩色インクの量は、前記第２の無彩色インクの付与量が前記所定量であり且つ前記情報が前記第１の明度とは異なる第２の明度を示す場合に前記決定工程において決定される前記第２の無彩色インクの量と異なることを特徴とする請求項８のいずれか１項に記載の画像処理方法。
【請求項１０】
前記第１の無彩色インクの付与量が第１の量であり且つ前記第２の無彩色インクの付与量が第２の量である場合に前記決定工程において決定される前記第２の無彩色インクの量は、前記第１の無彩色インクの付与量が前記第１の量とは異なる第３の量であり且つ前記第２の無彩色インクの付与量が前記第２の量である場合に前記決定工程において決定される前記第２の無彩色インクの量と、異なることを特徴とする請求項６乃至８のいずれか１項に記載の画像処理装置。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は、画像処理装置および画像処理方法に関し、詳しくは、第１の無彩色インクと第２の無彩色インクを吐出可能な記録手段の移動（走査）中にインクを吐出して記録媒体に画像を記録するための画像処理装置および画像処理方法に関する。
【手続補正４】
【補正対象書類名】明細書
【補正対象項目名】０００７
【補正方法】変更
【補正の内容】
【０００７】
例えば、上記特許文献１においては、印刷の基本３原色（シアン、マゼンタおよびイエロー）である有彩色のカラーインクに加え、無彩色であるブラックのインクも用いて記録を行う構成が開示されている。しかし、特許文献１では、カラーインクについてのインク付与量低減処理を行うことを開示するのみであり、ブラックインクについては考慮されていない。これは、ブラックとカラーが混在するデータの記録に対しては、ブラックの記録をカラー記録に少なくとも１スキャン分先行させて実施するようにしていることに基づく。つまり、カラー記録時にはブラックインクが記録媒体に既に定着しているようにすることで、ブラックインクのつなぎスジ発生への寄与が少なくなるようにしているのである。
【手続補正５】
【補正対象書類名】明細書
【補正対象項目名】００１０
【補正方法】変更
【補正の内容】
【００１０】
上記目的を達成するための本発明は、第１の無彩色インク及び前記第１の無彩色インクとは異なる第２の無彩色インクを付与するための記録手段を記録媒体に対して移動させながら、前記記録手段よりインクを付与することにより前記記録媒体に画像を記録するための画像処理装置であって、前記記録手段の移動により記録されるバンド同士のつなぎ部の近傍の領域に対する前記第１の無彩色インクの付与量及び前記第２の無彩色インクの付与量に関する情報を取得する取得手段と、前記取得手段によって取得された情報に基づいて、前記つなぎ部の近傍の領域に対する前記第１の無彩色インクの付与量及び前記第２の無彩色インクの付与量のうち少なくとも一方を低減する量を決定する決定手段と、を備えることを特徴とする。
【手続補正６】
【補正対象書類名】明細書
【補正対象項目名】００６４
【補正方法】変更
【補正の内容】
【００６４】
また、図１７（ｂ）は、図１７（ａ）と淡ブラックの使い方が異なり、ブラックの使用方法は同じである場合を示している。中間明度領域および低明度領域では、淡ブラックの打ち込みドット数は同じである。これは、図１７（ａ）の場合より低明度領域での階調変化が大きなインクの使用方法である。ここで、つなぎ処理を考えた場合、淡ブラックに関しては、同じ打ち込みドット数であってもつなぎスジへの影響度は中間明度領域と低明度領域とで異なる。やはり、単純にドット数だけで判断するのではなく、明度に応じて間引き処理の強弱を制御する処理の方が好ましいのである。